(57)【要約】【課題】  特定ガスの濃度が高い状態から低い状態に転じてから濃度低信号に至るまでに遅れを生じることを効果的に抑制できるガス検出装置を提供する。【解決手段】  ＮＯｘなどの特定ガス濃度に応じてセンサ抵抗Ｒｓが変化するガスセンサ素子１１を用いるガス検出装置１０では、マイクロコンピュータ１６にＡ／Ｄ変換されたセンサ出力値Ｓ（ｎ）が入力される。マイクロコンピュータ１６内では、濃度信号ＬＶがハイレベルを出力している期間中、現在のセンサ出力値Ｓ（ｎ）と４回過去センサ出力値Ｓ（ｎ−４）を比較し、現在のセンサ出力値Ｓ（ｎ）が濃度清浄方向側にあるか否かを判定した上で、濃度清浄方向側にあるか否かによって基準値Ｂ（ｎ）を異なる算出式によって算出する。そして、現在のセンサ出力値Ｓ（ｎ）と基準値Ｂ（ｎ）との差分値Ｄ（ｎ）がしきい値Ｔよりも小さくなったとき、濃度信号ＬＶはハイレベルからローレベルに切り換えられる。【選択図】  図１
2005106708.tif 000002
【特許請求の範囲】
【請求項１】
特定ガスの濃度に応じて電気的特性が変化するガスセンサ素子を用いるガス検出装置であって、
上記ガスセンサ素子を用いて、所定サイクル時間毎にセンサ出力値を取得する取得手段と、
濃度高信号を発生している期間に、現在の上記センサ出力値である現在センサ出力値が、複数の上記所定サイクル数ｍ回だけ過去に算出されたセンサ出力値であるｍ回過去センサ出力値に対して、濃度清浄方向側にあるか否かを判定する判定手段とを備え、
上記判定手段にて濃度清浄方向側でないと判定されると、上記センサ出力値及び第1基準値により算出された第１判断対象値と第１しきい値とを比較して、上記濃度高信号から濃度低信号への切換えを行うか否かを判定する第１濃度信号発生手段が選択され、
上記判定手段にて濃度清浄方向側にあると判定されると、上記センサ出力値及び第２基準値により算出された第２判断対象値と第２しきい値とを比較して、上記濃度高信号から濃度低信号への切換えを行うか否かを判定する第２濃度信号発生手段が選択されるように構成されており、
上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生することを特徴とするガス検出装置。
【請求項２】
前記第1基準値は、上記現在のセンサ出力値と、過去のセンサ出力値を用いて算出される過去の第1基準値である過去第1基準値とを用いて算出され、
前記第２基準値は、上記現在のセンサ出力値と、過去のセンサ出力値を用いて算出される過去の第２基準値である過去第２基準値とを用いて算出されたことを特徴とする請求項１に記載のガス検出装置。
【請求項３】
特定ガスの濃度に応じて電気的特性が変化するガスセンサ素子を用いるガス検出装置であって、
上記ガスセンサ素子を用いて、所定サイクル時間毎にセンサ出力値S(ｎ)を取得する取得手段と、但し、nは時系列の順序を示す整数、
濃度高信号を発生している期間に、現在の上記センサ出力値である現在センサ出力値S(n)が、複数の上記所定サイクル数ｍだけ過去に算出されたセンサ出力値であるｍ回過去センサ出力値Ｓ(n−ｍ)に対して、濃度清浄方向側にあるか否かを判定する判定手段と、を備え、
上記判定手段にて濃度清浄方向側でないと判定されると、第１ベース算出手段を用いて、上記センサ出力値S(ｎ)から下記式（１）に従って第1ベース値B１(n)を算出し、
B１(n)＝B１(n−１)＋k1{S(n)−B１(n−1)}−k2{S(n)−S(n−q)}  ・・・（１）
但し、k1は追従変化率、k2は強調率であり、０＜k1＜１、k2＞０、qは正の整数、
第１差分値算出手段を用いて、上記センサ出力値S(n)と第1ベース値B１(n)とから下記式（２）に従って第1差分値D１(n)を算出し、
D１(n)＝S(n)−B１(n)  ・・・（２）
上記第1差分値D１(n)と第1しきい値T1とを比較して、上記濃度高信号から濃度低信号への切換えを行うか否かを判定する第1濃度低信号発生手段が選択され、
上記判定手段にて濃度清浄方向側にあると判断されると、第２ベース算出手段を用いて、上記センサ出力値S(ｎ)から下記式（３）に従って第２ベース値B2(n)を算出し、
B2(n)＝B2(n−１)＋k3{S(n)−B2(n−1)}−k4{S(n)−S(n−q)}  ・・・（３）
但し、k3は追従変化率、k4は強調率であり、０＜k3＜１、k4＞０、qは正の整数、
第２差分値算出手段を用いて、上記センサ出力値S(n)と第２ベース値B2(n)とから下記式（４）に従って第２差分値D2(n)を算出し、
D2(n)＝S(n)−B2(n)  ・・・（４）
上記第２差分値D2(n)と第２しきい値T2とを比較して、上記濃度高信号から濃度低信号の切換えを行うか否かを判定する第２濃度低信号発生手段が選択されるように構成されており、
上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生ように、上記式（１）と上記式（３）との追従変化率および強調率の少なくともいずれか一方を異なるようにしたことを特徴とするガス検出装置。
【請求項４】
請求項１乃至３のいずれか１項に記載のガス検出装置を含む車両用オートベンチレーションシステム。
【発明の詳細な説明】
【技術分野】
【０００１】
本発明は、ガスセンサ素子を用いて環境中の特定ガスの濃度変化を検出するガス検出装置および車両用オートベンチレーションシステムに関する。
【０００２】
従来より、鉛―フタロシアニンを用いたり、ＷＯ３やＳｎＯ２などの金属酸化物半導体を用いたガスセンサ素子であって、環境中のＮＯｘなどの酸化性ガスやＣＯ、ＨＣ（ハイドロカーボン）などの還元性ガスといった、特定のガスの濃度変化によって、そのセンサ抵抗値が変化するガスセンサ素子が知られている。また、このようなガスセンサ素子を用い、そのセンサ抵抗値をセンサ出力値として取得し、センサ出力値の変化により特定ガスの濃度変化を検出可能なガス検出装置も知られている。さらには、このガス検出装置を用いた各種の制御システム、例えば、車室外空気の汚染状況に応じて、車室内への外気・内気導入を切り替えるためのフラップ開閉制御を行う車両用オートベンチレーションシステムや、喫煙などによる室内空気の汚染を検知し、空気清浄の制御を行うシステムなどが知られている。（特許文献１参照）
【特許文献１】特開平１１−４２９２５号公報
【０００３】
特許文献１の車両用空調装置では、ガスセンサ素子のセンサ抵抗値に対応するセンサ出力値と、このセンサ出力値によって算出され、センサ出力値よりも緩慢に追従する基準値とに基づいて所定の大小関係を満たすか否かを判定し、フラップの開閉制御を行っている。
【発明の開示】
【発明が解決しようとする課題】
【０００４】
ところで、一般に、このようなガスセンサ素子のセンサ抵抗値の応答は、必ずしも特定ガスの濃度変化に一致しない。具体的には、特定ガスの濃度変化に遅れて変化する。なかでも、ガスセンサ素子が高い濃度の特定ガスに曝されてそのセンサ抵抗値が濃度の高い状態に対応した抵抗値になると、その後に、特定ガスの濃度が低下しても、ガスセンサのセンサ抵抗値が徐々にしか濃度が低い状態に対応した抵抗値に戻らない。つまり、このようなガスセンサ素子のセンサ抵抗値各時点での特定ガスの濃度のみならず、それ以前に曝された特定ガスの濃度など過去の履歴に依存するヒステリシス現象が生じる。
なお、このような現象は、特定ガスの濃度が高くなった時点で特定ガスの分子がガスセンサ素子に吸着されてしまい、その後に特定ガス濃度が下がっても、吸着された特定ガス分子は徐々にしか離脱しないために起こると考えられる。
【０００５】
よって、特許文献１のようなガス検出装置では、ガスセンサ素子が高い濃度の特定ガスの濃度に晒された後に、特定ガスの濃度が低い状態に移行しても、センサ抵抗値に対応するセンサ出力値が徐々にしか濃度清浄方向側に変化しないために、センサ出力値を用いて算出される基準値も徐々にしかセンサ出力値に追従しなくなる。その結果、センサ出力値が濃度清浄方向に転じてから外気導入切替に至るまでに遅れを生じてしまうことがあった。
【０００６】
本発明は、かかる問題点に鑑み成されたものであって、ガスセンサ素子が高い濃度の特定ガスの濃度に晒された後に、特定ガスの濃度が低い状態に移行する変化をできるだけ早く検知し、センサ抵抗値に対応するセンサ出力値の濃度清浄方向側へ変化する初期段階を捉え、早期に濃度清浄方向側に変化した旨の信号を発生させることができるガス検出装置、及びこれを用いた車両用オートベンチレーションシステムを提供することを目的とする。
【課題を解決するための手段】
【０００７】
その解決手段は、特定ガスの濃度に応じて電気的特性が変化するガスセンサ素子を用いるガス検出装置であって、上記ガスセンサ素子を用いて、所定サイクル時間毎にセンサ出力値を取得する取得手段と、濃度高信号を発生している期間に、現在の上記センサ出力値である現在センサ出力値が、複数の上記所定サイクル数ｍ回だけ過去に算出されたセンサ出力値であるｍ回過去センサ出力値に対して、濃度清浄方向側にあるか否かを判定する判定手段とを備え、上記判定手段にて濃度清浄方向側でないと判定されると、上記センサ出力値及び第1基準値により算出された第１判断対象値と第１しきい値とを比較して、上記濃度高信号から濃度低信号への切換えを行うか否かを判定する第１濃度信号発生手段が選択され、上記判定手段にて濃度清浄方向側にあると判定されると、上記センサ出力値及び第２基準値により算出された第２判断対象値と第２しきい値とを比較して、上記濃度高信号から濃度低信号への切換えを行うか否かを判定する第２濃度信号発生手段が選択されるように構成されており、上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生することを特徴とするガス検出装置とする。
【０００８】
本発明のガス検出装置によれば、取得手段は、所定サイクル時間毎にセンサ出力値を取得する構成とされている。そして、本発明のガス検出装置は、濃度高信号を発生している期間に、現在の上記センサ出力値である現在センサ出力値が、複数の上記所定サイクル数ｍ回だけ過去に算出されたセンサ出力値であるｍ回過去センサ出力値に対して、濃度清浄方向側にあるか否かを判定する判定手段を備える。現在センサ出力値がｍ回過去センサ出力値よりも濃度清浄方向側にある場合には、特定ガス濃度が清浄方向に変化したと考えられるので、この判定手段を備えることにより、特定ガス濃度の清浄方向側への変化を読み取ることができる。
【０００９】
なお、前回のセンサ出力値と現在のセンサ出力値とを比べて、特定ガスの濃度が清浄方向側にあるか否かを判定すると、特定ガスの濃度が汚染方向に変化している時に、外乱等により一サイクルだけ清浄方向に変化した場合、誤って特定ガスの濃度が濃度清浄方向に変化したと判定してしまう。このため、精度の良い特定ガスの濃度変化を判定することができない虞がある。そこで、本発明では、現在センサ出力値が、複数の上記所定サイクル数ｍ回だけ過去に算出されたセンサ出力値であるｍ回過去センサ出力値に対して、濃度清浄方向側にあるか否かを判定することで、特定ガスの濃度清浄方向への変化を精度よく判定することができる。
【００１０】
なお、判定手段は、濃度高信号を発生している期間に、現在の上記センサ出力値である現在センサ出力値と、複数の上記所定サイクル数ｍだけ過去に算出されたセンサ出力値であるｍ回過去センサ出力値とを比べて、特定ガスの濃度が清浄方向側にあるか否かを判定することができる。また、現在センサ出力値とｍ回過去センサ出力値との２サンプリングを比べるのではなく、濃度高信号を発生している期間に、現在センサ出力値とｍ回過去センサ出力値との期間で毎サンプリングごとに、特定ガスの濃度が清浄方向側にあるか否かを判定し、現在センサ出力値とｍ回過去センサ出力値との期間が連続的に清浄方向に向かっているかを読み取ってもよい。・こうすることで、センサ出力値の濃度清浄方向への変化が外乱の影響による変化ではなく、特定ガスの濃度による変化であると明確に考えることができるので、より正確に特定ガスの濃度の清浄方向側への変化を敏感に読み取ることができる。
【００１１】
また、本発明では、上記判定手段にて濃度清浄方向側でないと判定されると、上記センサ出力値及び第1基準値により算出された第１判断対象値と第１しきい値とを比較して、上記濃度高信号から濃度低信号への切換えを行うか否かを判定する第１濃度信号発生手段が選択され、上記判定手段にて濃度清浄方向側にあると判定されると、上記センサ出力値及び第２基準値により算出された第２判断対象値と第２しきい値とを比較して、上記濃度高信号から濃度低信号への切換えを行うか否かを判定する第２濃度信号発生手段が選択されるように構成されている。そして、上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生するように設定している。このように、第１濃度信号発生手段とは別に、第２濃度信号発生手段を備えることで、第１濃度発生手段のみを備えたガス検出装置と比較して、濃度高信号発生期間中において、センサ出力値が濃度清浄方向に転じてから濃度低信号を早く発生することができる。したがって、本発明のガス検出装置によれば、濃度高信号発生期間中において、特定ガスの濃度低下を精度良く、かつ早期に検出することができる。
【００１２】
なお、上記第２濃度信号発生手段が、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生するように設定するには、第１しきい値と第２しきい値との値を異ならせたり、第１算出値と第２算出値を算出する算出方法（算出式）を異ならせたり、さらには、この両方を実施することにより達成することができる。
【００１３】
なお、本明細書では、便宜上、センサ出力値について、特定ガスの濃度が清浄側になった場合にセンサ出力値が変化する方向を濃度清浄方向ということとする。
従って、特定ガス濃度が清浄側になったとき、センサ出力値が小さくなるようにガスセンサ素子の特性や電子回路が構成されているガス検出装置では、センサ出力値について濃度清浄方向とは、センサ出力値が小さくなる方向を言う。これとは、逆に、特定ガスの濃度が清浄側になったとき、センサ出力値が大きくなるようにガスセンサ素子の特性や電子回路が構成されているガス検出装置では、センサ出力値について濃度清浄方向とは、センサ出力値が大きくなる方向を言う。
一方、濃度汚染方向とは、この濃度清浄方向とは逆方向ということとする。
【００１４】
さらに、第1基準値は、現在のセンサ出力値と、過去のセンサ出力値を用いて算出される過去の第1基準値である過去第1基準値とを用いて算出され、
第２基準値は、現在のセンサ出力値と、過去のセンサ出力値を用いて算出される過去の第２基準値である過去第２基準値とを用いて算出されることがよい。
【００１５】
特定ガスの濃度に応じて電気的特性が変化するガスセンサ素子を用いるガス検出装置であって、
上記ガスセンサ素子を用いて、所定サイクル時間毎にセンサ出力値S(ｎ)を取得する取得手段と、但し、nは時系列の順序を示す整数、
濃度高信号を発生している期間に、現在の上記センサ出力値である現在センサ出力値S(n)が、複数の上記所定サイクル数ｍだけ過去に算出されたセンサ出力値であるｍ回過去センサ出力値Ｓ(n−ｍ)に対して、濃度清浄方向側にあるか否かを判定する判定手段と、を備え、
上記判定手段にて濃度清浄方向側でないと判定されると、第１ベース算出手段を用いて、上記センサ出力値S(ｎ)から下記式（１）に従って第1ベース値B１(n)を算出し、
B１(n)＝B１(n−１)＋k1{S(n)−B１(n−1)}−k2{S(n)−S(n−q)}  ・・・（１）
但し、k1は追従変化率、k2は強調率であり、０＜k1＜１、k2＞０、qは正の整数、
第１差分値算出手段を用いて、上記センサ出力値S(n)と第1ベース値B１(n)とから下記式（２）に従って第1差分値D１(n)を算出し、
D１(n)＝S(n)−B１(n)  ・・・（２）
上記第1差分値D１(n)と第1しきい値T1とを比較して、上記濃度高信号から濃度低信号への切換えを行うか否かを判定する第1濃度低信号発生手段が選択され、
上記判定手段にて濃度清浄方向側にあると判断されると、第２ベース算出手段を用いて、上記センサ出力値S(ｎ)から下記式（３）に従って第２ベース値B2(n)を算出し、
B2(n)＝B2(n−１)＋k3{S(n)−B2(n−1)}−k4{S(n)−S(n−q)}  ・・・（３）
但し、k3は追従変化率、k4は強調率であり、０＜k3＜１、k4＞０、qは正の整数、
第２差分値算出手段を用いて、上記センサ出力値S(n)と第２ベース値B2(n)とから下記式（４）に従って第２差分値D2(n)を算出し、
D2(n)＝S(n)−B2(n)  ・・・（４）
上記第２差分値D2(n)と第２しきい値T2とを比較して、上記濃度高信号から濃度低信号の切換えを行うか否かを判定する第２濃度低信号発生手段が選択されるように構成されており、
上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生ように、上記式（１）と上記式（３）との追従変化率および強調率の少なくともいずれか一方を異なるようにしたことを特徴とするガス検出装置とする。
【００１６】
本発明のガス検出装置によれば、取得手段は、所定サイクル時間毎にセンサ出力値S(n)を取得する構成とされている。そして、本発明のガス検出装置は、濃度高信号を発生している期間に、現在の上記センサ出力値である現在センサ出力値S(n)が、複数の上記所定サイクル数ｍだけ過去に算出されたセンサ出力値であるｍ回過去センサ出力値Ｓ(n−ｍ)に対して、濃度清浄方向側にあるか否かを判定する判定手段を備える。現在センサ出力値S(n)がｍ回過去センサ出力値S(n−m)よりも濃度清浄方向側にある場合には、特定ガスの濃度が清浄方向に変化したと考えられるので、この判定手段を備えることにより、特定ガスの濃度清浄方向側への変化を敏感に取得できる。
【００１７】
そして、上記判定手段にて、濃度清浄方向側でないと判定されると、第1ベース手段にて、上記ガスセンサ出力値S(ｎ)を用いて、第1ベース値B１(n)を算出する。そこで、第1ベース値B１(n)について説明すると、式（１）のうち、B１(n)＝B１(n−１)＋k1{S(n)−B１(n−1)}の項は、センサ出力値S(n)の変動に対して追従しつつ、センサ出力値S(n)よりも緩慢に変化する追従項である。この追従項は、追従変化率k1の値を変化させることで、センサ出力値S(n)に対する追従の速さ(敏感さ)が変化する性質を有し、追従変化率k1が大きく（１に近く）なると、センサ出力値S(n)に対して相対的に素早く敏感に追従する。逆に追従変化率k1が小さく（０に近く）なると相対的に変化が緩慢になり、センサ出力値S(n)に対してゆっくりと追従する。一方、−k2{S(n)−S(n−q)}の項は、微分値を算出する強調項である。例えば、ｑ回過去センサ出力値S(n−q)に比してセンサ出力値S(n)が（濃度汚染方向側（S(n)＞S(n−q)）に変化すると、この項を無くし追従項のみとして算出された場合の仮想第1ベース値に対して、第1ベース値B1(n)は濃度清浄方向側となる。
【００１８】
そして、このガス検出装置では、第1ベース算出手段を用いて、第１ベース値B1(n)を算出し、第1差分値算出手段にて、式（２）を用いて、第1差分値D1(n)を算出する。そして、第１濃度低信号発生手段にて、この差分値D1(n)が、第1しきい値T1とが所定の大小関係を満たしたときに濃度低信号を発生する。
【００１９】
一方、上記判定手段にて、濃度清浄方向側にあると判断されると、第２ベース手段にて、上記ガスセンサ出力値S(ｎ)を用いて、第２ベース値B１(n)を算出する。そこで、第２ベース値B2(n)について説明すると、式（３）のうち、B2(n)＝B2(n−１)＋k3{S(n)−B2(n−1)}の項は、センサ出力値S(n)の変動に対して追従しつつ、センサ出力値S(n)よりも緩慢に変化する追従項である。この追従項は、追従変化率k3の値を変化させることで、センサ出力値S(n)に対する追従の速さ(敏感さ)が変化する性質を有し追従変化率k3が大きく（１に近く）なると、センサ出力値S(n)に対して相対的に素早く敏感に追従する。逆に追従変化率k3が小さく（０に近く）なると相対的に変化が緩慢になり、センサ出力値S(n)に対してゆっくりと追従する。一方、−k4{S(n)−S(n−q)}の項は、微分値を算出する強調項である。例えば、ｑ回過去センサ出力値S(n−q)に比してセンサ出力値S(n)が（濃度汚染方向側（S(n)＞S(n−q)）に変化すると、この項を無くし追従項のみとして算出された場合の仮想第2ベース値に対して、第２ベース値B2(n)は濃度清浄方向側となる。
【００２０】
そして、このガス検出装置では、第2ベース算出手段を用いて、第2ベース値B2(n)を算出し、第２差分値算出手段にて式（４）を用いて、第2差分値D2(n)を算出する。そして、第２濃度信号発生手段にて、この差分値D1(n)が、第２しきい値T2とが所定の大小関係を満たしたときに濃度低信号を発生する。
【００２１】
なお、上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生するように、上記式（１）と上記式（３）との追従変化率および強調率の少なくともいずれか一方を異なるようにしている。第１濃度信号発生手段とは別に、追従変化率及び強調率の少なくともいずれか一方を異なるようにした第２濃度信号発生手段を備えることで、第１濃度発生手段のみを備えたガス検出装置と比較して、特定ガスの濃度が濃度清浄方向に変化した場合に、濃度低信号をより早く発生することができる。より具体的には、式（１）の追従変化率よりも式（３）の追従変化率を大きくするか、式（１）の強調率よりも式（３）の強調率を小さくすることで、上記第２濃度信号発生手段は、上記判定手段にて濃度清浄方向側にあると判定されつづけるセンサ出力値の時系列を与えたときに、上記第２濃度信号発生手段を用いずに上記第１濃度信号発生手段のみを用いると仮定したときの濃度低信号が発生するタイミングよりも早いタイミングにて濃度低信号を発生ことができる。
【００２２】
さらに、ガス検出装置を含む車両用オートベンチレーションシステムとするとよい。
【００２３】
本発明の車両用オートベンチレーションシステムは、特定ガスの濃度変化に応じて、濃度高信号、濃度低信号を適切に発生するので、これを用いて適切にベンチレーションを行うことができる。
【００２４】
さらに、外気導入口と、本発明のガス検出装置と、濃度低信号の発生期間中は、外気導入口の開閉装置を全開とし、濃度高信号の発生期間中は、外気導入口の開閉装置を全閉とする開閉指示信号を出力する開閉指示手段と、を備える車両用オートベンチレーションシステムとするのが好ましい。
【００２５】
この車両用オートベンチレーションシステムでは、特定ガスの濃度に応じて、ガス検出装置が濃度低信号、濃度高信号を発生し、濃度低信号を発生している時には、外気導入口の開閉を全開とし、濃度高信号を発生しているときには、外気導入口の開閉装置を全閉とする開閉指示信号を出力する。このため、特定ガスの濃度に応じて、適切に外気導入口の開閉装置を駆動することができる。
【発明を実施するための最良の形態】
【００２６】
本発明の実施形態について、図１〜図６を参照して説明する。図１に本実施形態のガス検出装置１０の回路図及びブロック図と、これを含む車両用オートベンチレーションシステム１００の概略構成を示す。このシステム１００は、特定ガスの濃度変化に応じて濃度信号ＬＶを出力するガス検出装置１０と、フラップ３４を回動させて、内気取り入れ用ダクト３２及び外気取り入れ用ダクト３３（外気導入口）のいずれかをダクト３１に接続させる換気系３０と、濃度信号ＬＶに従って換気系３０のフラップ３４を制御する電子制御アセンブリ２０を備える。
【００２７】
まずガス検出装置１０について説明する。このガス検出装置１０は、被測定ガス（本実施形態では大気）中にＮＯｘなど酸化性ガス成分がある場合に、これに反応し、酸化性ガス成分の濃度上昇と共にセンサ抵抗値Ｒｓが上昇するタイプの酸化物半導体のガスセンサ素子１１を用いるものである。このガスセンサ素子１１は自動車の車室外に配置される。
【００２８】
このガスセンサ素子１１を用い、センサ抵抗値変換回路１４、バッファ１３、Ａ／Ｄ変換回路１５からなるセンサ出力値取得回路１９で、センサ出力値S(ｎ)を取得する。センサ抵抗値変換回路１４は、このガスセンサ素子１１のセンサ抵抗値Ｒｓに応じたセンサ出力電位Ｖｓを出力する。具体的には、電源電圧Ｖｃｃをガスセンサ素子１１と検出抵抗値Ｒｄを有する検出抵抗１２とで分圧した動作点Ｐｄのセンサ出力電位Ｖｓを、バッファ１３を介して出力するようになっている。このため、このセンサ抵抗値変換回路１４では、ＮＯｘなどの酸化性ガスの濃度が上昇すると、センサ抵抗値Ｒｓが上昇し、センサ出力電位Ｖｓが上昇するように構成されている。
バッファ１３の（出力センサ出力電位Ｖｓ）は、Ａ／Ｄ変換回路１５に入力されて、所定のサイクル時間毎にデジタル化されたセンサ出力値S(ｎ)として出力され、マイクロコンピュータ１６の入力端子１７に入力される。ｎは順序を表す一連の整数である。
【００２９】
さらにこのマイクロコンピュータ１６の出力端子１８からは、電子制御アセンブリ２０を制御するための濃度高信号と濃度低信号のいずれかの濃度信号ＬＶが出力される。この電子制御アセンブリ２０は、自動車の内気循環及び外気取り入れを制御する換気系３０のフラップ３４を制御するものである。この換気系３０は、本実施形態では具体的には、自動車室内につながるダクト３１に、二股状に接続された、内気を取り入れ循環させる内気取り入れ用ダクト３２と外気を取り入れる外気取り入れ用ダクト３３とを切り替えるフラップ３４を制御するものである。
電子制御アセンブリ２０のうち、フラップ駆動回路２１は、マイクロコンピュータ１６の出力端子１８からの濃度信号ＬＶ、本実施形態に即して言えば、ＮＯｘなどの酸化性ガス成分の濃度が上昇したか下降したかを示す濃度信号ＬＶに従って、アクチュエータ２２を動作させフラップ３４を回動させて、内気取り入れ用ダクト３２及び外気取り入れ用ダクト３３のいずれかをダクト３１に接続させる。
【００３０】
例えば、図２のフローチャートに示すように、ステップＳ１で初期設定を行った後、ステップＳ２で濃度信号ＬＶを取得し、ステップＳ３で濃度信号ＬＶが濃度高信号であるか否か、つまり濃度高信号発生中であるか否かを判断する。ここで、Ｎｏつまり濃度低信号発生中には、特定ガスの濃度が低いことから、ステップＳ４において、フラップ３４の全開を指示する。これにより、フラップ３４が回動して、外気取り入れ用ダクト３３がダクト３１に接続され、外気が車室内に取り入れられる。一方、ステップＳ３においてＹｅｓつまり濃度高信号発生中には、車室外の特定ガスの濃度が高いことから、ステップＳ５において、フラップ３４の全閉を指示する。これにより、フラップ３４が回動して、内気取り入れ用ダクト３１に接続され、外気導入が遮断されると共に、内気循環となる。
【００３１】
ダクト３１内には、空気を圧送するファン３５が設置されている。なお、フラップ駆動回路２１は、濃度信号ＬＶだけに応じてフラップ３４を開閉するようにしても良いが、例えば、マイクロコンピュータなどを用い、ガス検出装置１０による濃度信号ＬＶの他、図１中破線で示すように、例えば室温センサや湿度センサ、外気温センサなどからの情報をも加味して、フラップ３４を開閉するようにしても良い。
【００３２】
マイクロコンピュータ１６では、入力端子１７から入力されたセンサ出力値Ｓ(ｎ)を後述するフローに従った処理を行うことにより、ガスセンサ素子１１のセンサ抵抗値Ｒｓやその変化などから酸化性ガス成分の濃度変化を検出する。マイクロコンピュータ１６は、詳細は図示しないが、公知の構成を有し、演算を行うマイクロプロセッサ、プラグラムやデータを一時記憶しておくＲＡＭ、プラグラムやデータを保持するＲＯＭなどを含む。また、バッファ１３やＡ／Ｄ変換回路１５をも含むものを用いることができる。
【００３３】
次いで、マイクロコンピュータ１６における制御を、図３〜図５のフローチャートに従って説明する。自動車のエンジンが駆動されると、本制御システムが立ち上がる。ガスセンサ素子１１が活性状態となるのを待って、まずステップＳ１１で初期設定を行う。ベース値B(０)として、ガスセンサ素子１１が活性状態となった当初のセンサ出力値S(0)を記憶しておく。(B(0)＝S(0))。また、濃度信号ＬＶとして濃度低信号を発生させておく、具体的には、濃度信号ＬＶをローレベルとしておく。
その後、ステップＳ１２に進み、センサ信号つまりセンサ出力電位Ｖｓを所定のサイクル時間ごとにＡ／Ｄ変換した現在センサ出力値Ｓ(ｎ)を順次読み込む。次いで、ステップＳ１３において、現時点で濃度信号ＬＶがハイレベル、つまり特定ガス（本実施形態では酸化性ガス）の濃度が高いレベルにあることを示す濃度高信号を発生しているかどうかを判断する。ここで、Ｎｏ、つまり特定ガスの濃度が低く、濃度信号ＬＶがローレベルであり濃度低信号を発生していれば、ステップＳ１４のサブルーチンに進み濃度低信号中のベース値B(n)を算出する。一方、Ｙｅｓ、つまり特定ガスの濃度が高く濃度信号ＬＶがハイレベルであり濃度高信号を発生していれば、ステップＳ１５のサブルーチンに進み濃度高信号中のベース値B(n)を算出する。
【００３４】
ステップＳ１４の内容を図４に示す。まずステップＳ１４１でセンサ出力値S(ｎ)を取得してから所定の時間（本実施形態では、４サンプリングタイム）が経過しているか否かを判断する。所定の時間が経過している場合、ステップＳ１４２に進み、所定の時間が経過していない場合、ステップＳ１４６に進む。そしてステップＳ１４２にて、現在のセンサ出力値Ｓ(ｎ)が前回算出した前回ベース値Ｂ(ｎ−1)より大きいか否かを判断する。Ｓ(ｎ)がＢ(ｎ−1)より大きい場合、ステップＳ１４３に進み、Ｓ(ｎ)がＢ(ｎ−1)以下の場合、ステップＳ１４５に進む。ステップＳ１４３にて、後述するベース値Ｂ（ｎ）の算出式の追従変化率k1、強調率k2を選択し、さらにステップＳ１４４にてベース値Ｂ(ｎ)を前回のベース値Ｂ(ｎ−1)と現在センサ出力値Ｓ(ｎ)と４回過去センサ出力値S(n−４)を利用して以下の式によって算出し、メインルーチンに戻る。
式（１）：Ｂ(ｎ)＝Ｂ(ｎ−1)＋k1{Ｓ(ｎ)−Ｂ(ｎ−1)}−k2{S(n)−S(n−４)}、ここで第１係数k1は、０＜k1＜１である。また第２係数は、k2＞０である。
一方、ステップＳ１４５では、現在のベース値Ｂ(ｎ)として現在センサ出力値Ｓ(ｎ)を代入(Ｂ(ｎ)＝Ｓ(ｎ))し、メインルーチンに戻る。
【００３５】
このようにするのは、以下の理由による。即ち、もし、ステップＳ１４２、Ｓ１４５を設けないとすると、ガス濃度の低下などによりセンサ出力値が減少(Ｓ(ｎ)＜Ｓ(ｎ−1))したとき、ステップＳ１４４の式にて算出される現在ベース値Ｂ(ｎ)は、現在センサ出力値Ｓ(ｎ)に近づく。このため、センサ出力値が減少し続ける場合などには、現在センサ出力値Ｓ(ｎ)よりも現在ベース値Ｂ(ｎ)のほうが大きくなる(Ｓ(ｎ)＜Ｂ(ｎ))逆転状態となり、後述するステップＳ１６で算出する両者の差(差分値Ｄ(ｎ))が負となる場合が生じる。この逆転状態となっている期間に、ガス濃度が上昇に転じ、センサ出力値Ｓ(ｎ)が増加に転じると、センサ出力値は再び増加を始めるが、後述するするステップＳ２１で差分値Ｄ(ｎ)が汚染ガス検知しきい値T1を越えるまでに時間がかかるため、ガス濃度の上昇検知が遅れる場合が生じる。
【００３６】
これに対し、本発明のように、ステップＳ１４２、Ｓ１４５を設け、ステップＳ１４５において、現在ベース値Ｂ(ｎ)に現在センサ出力値Ｓ(ｎ)を代入すれば、現在ベース値Ｂ(ｎ)と現在センサ出力値Ｓ(ｎ)は一致するから逆転状態を生じることが無くなる。その後、センサ出力値が時間とともに、減少し続けるなどして、Ｓ(ｎ)＜Ｂ(ｎ−１)となる限り、ステップＳ１４５によって現在ベース値Ｂ(ｎ)に現在センサ出力値Ｓ(ｎ)が代入される。
【００３７】
一方、ステップＳ１４６では、ベース値Ｂ(ｎ)を前回のベース値Ｂ(ｎ−1)と現在センサ出力値Ｓ(ｎ)と初期センサ出力値S(0)を利用して以下の式によって算出し、メインルーチンに戻る。
式（２）：Ｂ(ｎ)＝Ｂ(ｎ−1)＋k1{Ｓ(ｎ)−Ｂ(ｎ−1)}−k2{S(n)−S(０)}、ここで第１係数k1は、０＜k1＜１である。また第２係数は、k2＞０である。
【００３８】
次に、ステップＳ１５の内容を図５に示す。まずステップＳ１５１でセンサ出力値S(ｎ)を取得してから所定の時間（本実施形態では、４サンプリングタイム）が経過しているか否かを判断する。所定の時間が経過している場合、ステップＳ１５２に進み、所定の時間が経過していない場合、ステップＳ１５７に進む。そしてステップＳ１５２にて現在のセンサ出力値Ｓ(ｎ)が、所定サイクル数ｍ回だけ過去に算出されたセンサ出力値であるｍ回過去センサ出力値Ｓ(n−ｍ)よりも大きいか否かを判断する。なお、本実施例では、ｍ回過去センサ出力値Ｓ(n−ｍ)とは、４サンプリングタイム前のセンサ出力値Ｓ(n−４)としている。現在のセンサ出力値Ｓ(ｎ)が、４回過去のセンサ出力値Ｓ(n−４)よりも大きい場合、ステップＳ１５３に進み、現在のセンサ出力値Ｓ(ｎ)が、４回過去のセンサ出力値Ｓ(ｎ−４)以下の場合、ステップＳ１５５に進む。ステップＳ１５３では、後述するベース値Ｂ(ｎ)の算出式に利用される追従変化率k3、強調率ｋ4を選択して、ステップＳ１５４に進み、ステップＳ１５４では、ベース値Ｂ(ｎ)を前回のベース値Ｂ(ｎ−1)と現在センサ出力値Ｓ(ｎ)と４回過去センサ出力値S(n−４)を利用して以下の式によって算出し、メインルーチンに戻る。
式（３）：Ｂ(ｎ)＝Ｂ(ｎ−1)＋k3{Ｓ(ｎ)−Ｂ(ｎ−1)}−k4{S(n)−S(n−q)}、ここで第３係数k3は、０＜k3＜１である。また第４係数は、k4＞０である。
一方、ステップＳ１５５では、後述するベース値Ｂ(ｎ)の算出式に利用される追従変化率k5、強調率ｋ6を選択して、ステップＳ１５６に進み、ステップＳ１５６では、ベース値Ｂ(ｎ)を前回のベース値Ｂ(ｎ−1)と現在センサ出力値Ｓ(ｎ)と４回過去センサ出力値S(n−４)を利用して以下の式によって算出し、メインルーチンに戻る。
式（４）：Ｂ(ｎ)＝Ｂ(ｎ−1)＋k5{Ｓ(ｎ)−Ｂ(ｎ−1)}−k6{S(n)−S(n−q)}、ここで第５係数k5は、０＜k5＜１である。また第６係数は、k6＞０である。
【００３９】
このように、ステップＳ１５２を設けて、濃度高信号を発生している期間に、現在の上記センサ出力値である現在センサ出力値Ｓ(ｎ)が、複数の上記所定サイクル数４回だけ過去に算出されたセンサ出力値である４回過去センサ出力値Ｓ(ｎ−４)と比べて、特定ガスの濃度が濃度清浄方向側にあるか否かを判定する判定手段を備えることで、現在センサ出力値がｍ回過去センサ出力値よりも濃度清浄方向側にある場合には、特定ガス濃度が濃度清浄方向に変化したと考えられる。
【００４０】
そして、ステップＳ１５２で、現在のセンサ出力値Ｓ(ｎ)が、４回過去センサ出力値Ｓ(ｎ−４)よりも小さい場合、つまり、濃度清浄方向側へ向かうセンサ出力値Ｓ(ｎ)を与えられたときに、ステップＳ１５５にて取得する追従変化率又は強調率をステップＳ１５３にて取得する追従変化率又は強調率と変えることで、ステップＳ１５５、ステップＳ１５６を進む場合の後述するステップＳ１９で濃度低信号を発生する時間をステップＳ１５３、Ｓ１５４を進む場合のその時間よりも早くすることができる。これにより、特定ガスの濃度清浄方向への変化の初期段階を捉えて早期に濃度低信号を発生させることができる。なお、本実施例では、k3＜k5、k4＝k6としている。さらにいうとk3＜k5＜k1、k2＝k4＝k6としている。
【００４１】
一方、ステップＳ１５１でＮｏと判断された場合に進むステップＳ１５７では、ベース値Ｂ(ｎ)を前回のベース値Ｂ(ｎ−1)と現在センサ出力値Ｓ(ｎ)と初期センサ出力値S(0)を利用して以下の式によって算出し、メインルーチンに戻る。
式（５）：Ｂ(ｎ)＝Ｂ(ｎ−1)＋ｋ3{Ｓ(ｎ)−Ｂ(ｎ−1)}−k4{S(n)−S(0)}
【００４２】
その後、図３に示すメインルーチンに戻り、ステップＳ１６にて、差分値D(ｎ)をD(n)＝S(n)−B(n)に従って算出し、ステップＳ１７にて、現時点で濃度信号ＬＶがハイレベル、つまり特定ガス（本実施形態では酸化性ガス）の濃度が高いレベルにあることを示す濃度高信号を発生しているかどうかを判断する。ここで、Ｙｅｓ、つまり特定ガスの濃度が高く濃度信号ＬＶがハイレベルであり濃度高信号を発生していれば、ステップＳ１８に進む。一方、Ｎｏ、つまり特定ガスの濃度が低く、濃度信号ＬＶがローレベルであり濃度低信号を発生していれば、ステップＳ２１に進む。そして、ステップＳ１８にて、差分値D(ｎ)と汚染ガス検知終了しきい値T2と比較し、D(n)＞T2（Ｙｅｓ）となった場合、ステップＳ２０に進み、濃度高信号を維持する。具体的には、濃度信号ＬＶがハイレベルに維持されたまま、ステップＳ２４に進む。一方、Ｄ(ｎ)≦T2（Ｎｏ）の場合、ステップＳ１９に進み、濃度低信号を発生する。具体的には、濃度信号ＬＶをローレベルにし、ステップＳ２４に進む。
【００４３】
一方、ステップＳ２１にて、差分値D(ｎ)と汚染ガス検知しきい値T1とを比較し、D(n)＞T1（Ｙｅｓ）となった場合、ステップＳ２２に進み、濃度高信号を発生する。具体的には、濃度信号ＬＶをハイレベルにし、ステップＳ２４に進む。一方、Ｄ(ｎ)≦T1（Ｎｏ）の場合、ステップＳ２３に進み、濃度低信号を維持する。具体的には、濃度信号ＬＶをローレベルに維持しつつ、ステップＳ２４に進む。なお、本実施形態では、汚染ガス検知終了しきい値T2と汚染ガス検知しきい値T1とを別のしきい値（具体的にはT1＞T2）としているが、T2＝T1であっても良い。
【００４４】
その後、ステップＳ２４でステップＳ１４またはステップＳ１５で算出した現在ベース値Ｂ(ｎ)を記憶し、ステップＳ２５でＡ／Ｄサンプリングのサイクル時間のタイムアップを待った上で、ステップＳ１２に戻り、再びセンサ出力値Ｓ(ｎ)を取得する。
【００４５】
なお、本実施形態１において、センサ出力値取得回路１９は取得手段に相当する。また、ステップＳ１５２が判定手段、ステップＳ１５３、Ｓ１５４、Ｓ１６、Ｓ１８、Ｓ１９が第１濃度信号発生手段、Ｓ１５５、Ｓ１５６、Ｓ１６、Ｓ２１、Ｓ２３が第２濃度信号発生手段に相当に相当する。これら各々の手段の一例である。
【００４６】
ついで、実測したセンサ出力値Ｓ(ｎ)と、図３〜図５に示すフローチャートに従った制御により得られるベース値Ｂ(ｎ)、差分値D(ｎ)及び濃度信号ＬＶの変化の例を図６に示す。なお、図６には、比較例として、上記フローチャートのうち、ステップＳ１５２、Ｓ１５５、Ｓ１５６をなくしたベース値Ｂｂ(n)、差分値Db(n)及び濃度信号LVｂの変化をも記載してある。また、汚染ガス検知しきい値T1と汚染ガス検知終了しきい値T2とは同じ値である汚染検知しきい値Tとしている。
【００４７】
即ち、図６に示す本実施形態の例では、濃度低信号発生時には、S(n)＞B(n−1)のとき、式（１）：Ｂ(ｎ)＝Ｂ(ｎ−1)＋k1{Ｓ(ｎ)−Ｂ(ｎ−1)}−k2{S(n)−S(n−４)}により、S(n)≦B(n−1)のとき、B(n)＝S(n)により、図６に示されたB(n)を算出する。一方、濃度高信号発生時には、S(n)＞S(n−４)のとき、式（３）：Ｂ(ｎ)＝Ｂ(ｎ−1)＋k3{Ｓ(ｎ)−Ｂ(ｎ−1)}−k4{S(n)−S(n−４)}により、S(n)≦S(n−４)のとき、式（４）：Ｂ(ｎ)＝Ｂ(ｎ−1)＋k5{Ｓ(ｎ)−Ｂ(ｎ−1)}−k6{S(n)−S(n−４)}によりベース値B(n)を算出した。但し、k1＝１／１６、k2＝k3＝k4＝k6＝１／６４、k5＝１／３２とした。
【００４８】
また、図６に示す比較例では、濃度低信号発生時には、S(n)＞Bb(n−1)のとき、式（１）：Ｂb(ｎ)＝Ｂ(ｎ−1)＋k1{Ｓ(ｎ)−Ｂ(ｎ−1)}−k2{S(n)−S(n−４)}により、S(n)≦Bb(n−1)のとき、Bb(n)＝S(n)により、図６に示されたBb(n)を算出する。一方、濃度高信号発生時には、式（３）：Ｂ(ｎ)＝Ｂ(ｎ−1)＋k3{Ｓ(ｎ)−Ｂ(ｎ−1)}−k4{S(n)−S(n−４)}によりベース値Bb(n)を算出した。但し、k1＝１／１６、k2＝k3＝k4＝１／６４とした。
【００４９】
ＮＯｘの濃度が変化すると、センサ出力値Ｓ(ｎ)が変化する。そして、センサ出力値Ｓ(ｎ)から算出された実施形態のベース値Ｂ(ｎ)は、比較例のベース値Bb(ｎ)と比較して、センサ出力値Ｓ(ｎ)が減少し始めると急激に増加する。このため、実施形態の差分値D(n)は、比較例の差分値Db(n)と比較して、急激に小さくなる。その結果、実施形態の濃度信号ＬＶは、比較の濃度信号ＬＶｂに比べて早期にハイレベルからローレベルに切り換わる。
【００５０】
このように、本実施形態によれば、変換手段及び第２濃度信号発生手段を持たない比較例に比して、濃度清浄方向の変化をできるだけ早く検知し、濃度清浄方向の変化の初期段階を捉えて濃度が清浄方向に変化した旨の信号を発生させることができる。
【００５１】
以上において、本発明を実施形態に即して説明したが、本発明は上記実施形態等に限定されるものではなく、その要旨を逸脱しない範囲で、適宜変更して適用できることはいうまでもない。
例えば、上記実施形態等では、電源電圧Ｖｃｃをガスセンサ素子１１と検出抵抗値Ｒｄを有する検出抵抗１２とで分圧した動作点Ｐｄのセンサ出力電位Ｖｓを、バッファ１３を介して出力するガス検出装置１０を用いた。しかし、センサ抵抗変換回路としては、ガスセンサ素子のセンサ抵抗値Ｒｓに応じたセンサ出力電位を出力するものであれば良く、上記分圧回路以外の回路構成とすることもできる。
例えば、上記実施形態１等では、ガスセンサ素子１１を分圧回路のアース側（下側）に位置させ、検出抵抗１２を電源側（上側）とした（図１、図６参照）が、これらを上下逆として、ガスセンサ素子１１を分圧回路の電源側（上側）に位置させ、検出抵抗１２をアース側（下側）としても良い。但し、このようにした場合には、例えば、ＮＯｘの濃度が上昇すると、センサ電圧Ｖｓが低下する方向に変化するというように、センサ抵抗変換回路の特性が逆になるので、それに応じた処理を行う必要がある。
さらには、他の回路構成によるセンサ出力値取得回路を用いることもできる。例えば、特開２００１−２４２１１３号に記載の回路を用いることもできる。
【００５２】
また、上記実施形態等では、センサ出力値S(n)とベース値B(n)を用いて、差分値を求め、この差分値D(n)と汚染ガス検知終了しきい値T2、汚染ガス検知しきい値T1との大小関係を比較して濃度信号の切替を判断した。しかし、他の関係を満たすか否かを判断して、濃度信号を切り替えるようにしても良い。例えば、センサ出力値とベース値との比をしきい値と比較して判断するものが挙げられる。
【００５３】
また、実施形態等では、マイクロコンピュータ１６は、濃度高信号に対応するハイレベルと、濃度低信号に対応するローレベル、の２つの信号レベルを有する濃度信号ＬＶを出力するとした。しかし、例えば、複数の信号レベルを濃度高信号に対応させ、複数の信号レベルを濃度低信号に対応させるようにしても良い。この場合にも、濃度高信号に属する信号レベルと濃度低信号に属する信号レベルとの切換に、本発明を適用することが出来る。
【図面の簡単な説明】
【００５４】
【図１】本実施形態に係るガス検出装置および車両用オートベンチレーションシステムの概要を示す説明図である。
【図２】本実施形態に係る車両用オートベンチレーションシステムにおける制御のフローを示す説明図である。
【図３】本実施形態に係るガス検出装置のうちマイクロコンピュータにおけるフローを示す説明図である。
【図４】図３の制御フローのうち、濃度低信号発生時におけるベース値算出のサブルーチンの内容を示した説明図である。
【図５】図３の制御フローのうち、濃度高信号発生時におけるベース値算出のサブルーチンの内容を示した説明図である。
【図６】本実施形態にかかり、センサ出力値S(n)の変化に対して、ベース値B(n)、差分値D(n)及び濃度信号LVの変化を、Ｓ１５２、Ｓ１５５、Ｓ１５６をなくしたベース値Ｂｂ(n)、差分値Db(n)及び濃度信号LVｂの変化と対比して示す説明図である。
【符号の説明】
【００５５】
１００  車両用オートベンチレーションシステム
１０  ガス検出装置
１１  ガスセンサ素子
１２  検出抵抗
１３  バッファ
１４  センサ抵抗値変換回路
１５  Ａ／Dコンバータ
１６  マイクロコンピュータ
１９  センサ出力値取得回路（取得手段）
２０  電子制御アセンブリ
２１  フラップ駆動回路
３１、３２、３３  ダクト
３４  フラップ
【図１】
2005106708.tif 000003
【図２】
2005106708.tif 000004
【図３】
2005106708.tif 000005
【図４】
2005106708.tif 000006
【図５】
2005106708.tif 000007
【図６】
2005106708.tif 000008